(57)【要約】      （修正有）【課題】個性的で、且つ、美観にも優れたブレスレットを身近な素材から容易に作る。【解決手段】眼鏡のプラスチック製フレーム２から蝶番４及びテンプル５、６を取り外して前枠３単体にする。その前枠３を加熱した後に、ブリッジ３ａを中心として左右対称に右側のリム３ｂと左側のリム３ｃとを背面側に向かって湾曲変形させてブレスレットを製造する。変形させる際に人の手首や腕に当てながら変形させることで、その人に好適にフィットした身体装飾具を作ることができる。【選択図】図４
2020022661.tif 000002
【特許請求の範囲】
【請求項１】
眼鏡のフレームを環状に変形させて形成することを特徴とする、身体装飾具の製造方法。
【請求項２】
前記フレームの前枠を輪環状に変形することを特徴とする、請求項１記載の身体装飾具の製造方法。
【請求項３】
前記前枠のパッドを取り除くことを特徴とする、請求項２記載の身体装飾具の製造方法。
【請求項４】
前記前枠は、プラスチック製のものであることを特徴とする、請求項１乃至３の何れか一項に記載の身体装飾具の製造方法。
【発明の詳細な説明】
【技術分野】
【０００１】
本発明は、身体装飾具の製造方法に関するものである。
【背景技術】
【０００２】
従来、ブレスレット（腕輪）等の身体装飾具には種々のものが考えられている。これら身体装飾具は、使用する人の個性を際立たせる、或いは、個性を演出するものであることから、個性的なデザインのものが求められている。
【０００３】
個性的なデザインとするためには、特許文献１に示すように、例えばブレスレットに種々の装飾部品を取り付けたり、ブレスレットの形状を独特な形状にしたりすることが考えられる。
【０００４】
しかしながら、上記のように個性的なデザインにするためには、種々の装飾部品が必要になったり、独特の形状にするための加工が必要となってしまう。
【先行技術文献】
【特許文献】
【０００５】
【特許文献１】実用新案登録第３０９９１５８号公報
【発明の概要】
【発明が解決しようとする課題】
【０００６】
そこで本発明は、上記問題を解決すべくなされたものであり、個性的で、且つ、美観にも優れた身体装飾具を身近な素材から容易に作ることをその主たる課題とするものである。
【課題を解決するための手段】
【０００７】
すなわち本発明に係る身体装飾具の製造方法は、眼鏡のフレームを環状に変形して形成することを特徴とする。
【０００８】
このようなものであれば、眼鏡のフレームを環状に変形させることによって身体装飾具を製造することができるので、個性的で、且つ、美観にも優れた身体装飾具を身近な素材から容易に作ることができる。また、眼鏡とセットで装着することにより、同じ色や模様等にコーディネートすることができる。さらに、身体装飾具の素材として眼鏡のフレームを用いているので、身体に身に付けたときにアレルギーが起こりにくく、身体に優しい身体装飾具を提供することができる。その上、眼鏡のフレームは軽くて丈夫で美しい素材から出来ていることが多く、当該眼鏡のフレームを素材とした身体装飾具も軽くて丈夫で美しくすることができる。
【０００９】
具体的には、前記フレームの前枠を環状に変形して形成することが望ましい。なお、フレームには、前枠の他に、蝶番（ヒンジ）を介してテンプル（フレームを耳に掛けて固定する部分）があるが、これらがあると美観を損なう恐れがあるので、前枠のみを環状に変形して形成することが望ましい。
【００１０】
フレームの前枠にはパッドが設けられており、当該パッドが腕に押し付けられると痛くなってしまう。このため、前記前枠のパッドを取り除くことが望ましい。
【００１１】
前枠の加工性を良くするためには、前記前枠は、プラスチック製のものであることが望ましい。また、プラスチック製のフレームは熱変形温度が金属やセルロイドよりも低いので、加工性が良い。例えば、プラスチック製のフレームを例えば４０度〜１００度のお湯に付けて温めた後やドライヤーで温めた後に、手首や腕等の身体に当てながら曲げることができる。その結果、その人に好適にフィットした身体装飾具を作ることができる。
【発明の効果】
【００１２】
このように構成した本発明によれば、個性的で、且つ、美観にも優れた身体装飾具を身近な素材から容易に作ることができる。
【図面の簡単な説明】
【００１３】
【図１】本実施形態に係るブレスレットの装着状態を示す斜視図である。
【図２】同実施形態のブレスレットの一例の斜視図である。
【図３】同実施形態のブレスレットの一例の斜視図である。
【図４】同実施形態のブレスレットの製造方法を示す模式図である。
【発明を実施するための形態】
【００１４】
以下に本発明に係る身体装飾具の一例であるブレスレット及びその製造方法の一実施形態について図面を参照して説明する。
【００１５】
本実施形態に係るブレスレット１００は、図１〜図３に示すように、人の手首や腕に装着されるものであり、眼鏡のプラスチック製フレーム２の前枠３（フレーム前面部）を環状に変形して形成されたものである。なお、環状には、概略円形状をなすもの、又は概略三角形状や概略四角形状等の概略多角形状をなすもの等が含まれる。
【００１６】
具体的にブレスレット１００は、前枠３のブリッジ３ａ（左右リムを繋いでいる部分）を中心として左右対称となるように右側のリム３ｂ（レンズを囲い固定している部分）と左側のリム３ｃとが背面側（パッドが設けられている面側）に向かって湾曲している。そして、前枠３の両端部３ｄ、３ｅ（蝶番が設けられる部分）が所定距離離間して対向するような環状とされている。
【００１７】
次に、ブレスレット１００の製造方法について図４を参照して説明する。
【００１８】
まず、眼鏡のフレーム２を準備する（図４（Ａ））。このフレーム２は、前枠３に蝶番４を介して左右のテンプル５、６が接続された状態である。
【００１９】
フレーム２から蝶番４及びテンプル５、６を取り外して前枠３単体にする（図４（Ｂ））。前枠３にクリングス７（パッド８を前枠３に繋いでいるジョイント部分）を有するものであれば、前枠３からクリングス７を取り除く。また、前枠３にパッド８が一体形成されているものであれば、前枠３からパッド８を削る。
【００２０】
その後、前枠３を環状に変形させる（図４（Ｃ））。このとき、前枠３のブリッジ３ａを中心として左右対称に右側のリム３ｂと左側のリム３ｃとを背面側に向かって湾曲変形させる。変形方法としては、前枠３を例えば４０〜１００度のお湯につけて加熱した後に変形させる。ここで、変形させる際に人の手首や腕に当てながら変形させることで、人の手首や腕にフィットした形状にすることができる。なお、別の方法（例えばドライヤーやヒータ）で前枠３を加熱した後に変形させても良い。また、成形型を用いて変形させても良い。
【００２１】
なお、ブリッジ３ａを中心として左右対称でなくても良く、湾曲させるときに右側のリム３ｂと左側のリム３ｃとを捩じるようにして、前枠３の両端部３ｄ、３ｅが互い違いとなるようにしても良い。その他、フレーム２の前枠３に加工を施すことによって、前枠３の輪郭形状を所望の形状に変更してもよく、前枠３に装飾を施しても良い。
【００２２】
＜本実施形態の効果＞
このように構成したブレスレット１００の製造方法によれば、眼鏡のフレーム２を環状に変形させることによってブレスレット１００を製造することができるので、個性的で、且つ、美観にも優れたブレスレット１００を身近な素材から容易に作ることができる。また、眼鏡とセットで装着することにより、同じ色や模様等にコーディネートすることができる。さらに、ブレスレット１００の素材として眼鏡のフレーム２を用いているので、身体に身に付けたときにアレルギーが起こりにくく、身体に優しいブレスレット１００を提供することができる。その上、眼鏡のフレーム２は軽くて丈夫で美しい素材から出来ていることが多く、当該眼鏡のフレーム２を素材としたブレスレット１００も軽くて丈夫で美しくすることができる。
【００２３】
＜本発明の変形実施形態＞
なお、本発明は前記実施形態に限られるものではない。
【００２４】
例えば、前記実施形態のフレームはプラスチック製のものであったが、その他の樹脂製のものや、金属製のものであっても良い。
【００２５】
また、前記実施形態のフレームは、フルリム（レンズ全体を縁で覆ったタイプ）であったが、溝ほりフレーム（ハーフリムレス）であっても良い。
【００２６】
さらに、前記実施形態では、前枠３のパット８を除いた後に環状に変形させているが、環状に変形させた後にパッド８を除いても良い。
【００２７】
その上、前記実施形態では、前枠３を環状に変形させるだけであったが、環状に変形させるだけでなくリム３ｂ、３ｃの開口形状を変形させても良い。つまり、環状に変形させる前の状態でリム３ｂ、３ｃの開口形状を変形させ、リム３ｂ、３ｃの開口形状を変形させた後に環状に変形させても良い。
【００２８】
加えて、前枠のブリッジ３ａを捩じることにより、右側リム３ｂ又は左側リム３ｃの一方を反転させ、その後に環状に変形させても良い。
【００２９】
前記実施形態では身体装飾具としてブレスレットの例を示したが、その他、アンクレット（足輪）、ブローチ、髪飾り、腕時計等の身体装飾具であっても良い。
【００３０】
その他、本発明は前記実施形態に限られず、その趣旨を逸脱しない範囲で種々の変形が可能であるのは言うまでもない。
【符号の説明】
【００３１】
１００・・・ブレスレット（身体装飾具）
２    ・・・フレーム
３    ・・・前枠
３ａ  ・・・ブリッジ
３ｂ  ・・・右側リム
３ｃ  ・・・左側リム
３ｄ  ・・・右側端部
３ｅ  ・・・左側端部
４    ・・・蝶番
５    ・・・右側テンプル
６    ・・・左側テンプル
７    ・・・クリングス
８    ・・・パッド
【図１】
2020022661.tif 000003
【図２】
2020022661.tif 000004
【図３】
2020022661.tif 000005
【図４】
2020022661.tif 000006